(57)【特許請求の範囲】
【請求項１】
複数のシステムに使用可能な通信端末装置であって、
送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、
前記管理手段は、他のシステムのセル候補がつかめている場合に、セル検出及び／又はセル監視の頻度を低くすることを特徴とする通信端末装置。
【請求項２】
複数のシステムに使用可能な通信端末装置であって、
送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、
前記管理手段は、他のサービスオペレータに接続していて、他のサービスオペレータと自サービスオペレータの境界にいる場合、セル検出及び／又はセル監視の周期を短縮することを特徴とする通信端末装置。
【請求項３】
請求項１または請求項２に記載の通信端末装置と無線通信を行うことを特徴とする基地局装置。
【請求項４】
複数のシステムに使用可能な通信端末装置の無線通信方法であって、
送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、
前記管理工程は、他のシステムのセル候補がつかめている場合に、セル検出及び／又はセル監視の頻度を低くすることを特徴とする無線通信方法。
【請求項５】
複数のシステムに使用可能な通信端末装置の無線通信方法であって、
送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、
前記管理工程は、他のサービスオペレータに接続していて、他のサービスオペレータと自サービスオペレータの境界にいる場合、セル検出及び／又はセル監視の周期を短縮することを特徴とする無線通信方法。
【発明の詳細な説明】
【０００１】
【発明の属する技術分野】
本発明は、ディジタル無線通信システムにおける通信端末装置及び無線通信方法に関する。
【０００２】
【従来の技術】
次世代移動通信方式に用いる多元接続方式としてＣＤＭＡ（Code Division Multiple Access）が開発されている。このＣＤＭＡセルラシステムにおいては、通信端末は、移動に伴うセル切替え（ハンドオーバ）などにセル検出やセル監視を行う。
【０００３】
このＣＤＭＡセルラシステムにおけるセル検出法に関しては、樋口、佐和橋、安達らの”ＤＳ−ＣＤＭＡ基地局間非同期セルラにおけるロングコードマスクを用いる高速セルサーチ法”信学技報  ＲＣＳ９６−１２２，１９９７−０１に記載されているように、下り制御チャネルのスクランブリングコードをマスクし、このマスクされた部分について各セル共通のスプレッディングコードで相関検出を行うことにより、スクランブリングコードのタイミング及びその種類を検出する方法が提案されている。
【０００４】
この方式では、送信側（基地局）は各セル共通のスプレッディングコードで拡散されたシンボル及び各セルのスクランブリングコードに応じたスクランブリングコードグループ識別ショートコードで拡散されたシンボルをサーチコードとしてスクランブリングコードマスク部にコード多重して送信し、受信側（通信端末）は各セル共通のスプレッディングコードによるスロットタイミングを検出した後に、スクランブリングコードグループ識別ショートコードを用いてスクランブリングコード同定部でサーチすべきスクランブリングコード候補を限定し、フレームタイミングを検出し、さらにこのスクランブリングコード候補からセル固有のスクランブリングコードを特定する。これにより、高速に新しいセルを検出することができる。
【０００５】
また、セル監視は、上述したセル検出を改めて行うのではなく、スクランブリングコードと、そのおおよそのフレームタイミングが判明している基地局に関して、現在のレベル（Ｅｃ／Ｉ０（逆拡散後の信号電力／送受信電力）、ＳＩＲ(Signal to Interference Ratio)）を調べる処理をいう。
【０００６】
【発明が解決しようとする課題】
従来、通信端末は、セル検出やセル監視を一定周期で常時行っている。しかしながら、通信端末がセル検出やセル監視を常時行うと、端末における消費電力が増加し、通話時間や待ち受け時間が短くなってしまう。一方、セル検出やセル監視の頻度を極端に少なくすると、リアルタイムに正確なセル管理を行うことができず、ハンドオーバを失敗して通話が切れる可能性がある。
【０００７】
本発明はかかる点に鑑みてなされたものであり、できるだけ消費電力を節約することができ、しかもセル検出やセル監視におけるセル管理をリアルタイムに正確に行うことができる通信端末装置及び無線通信方法を提供することを目的とする。
【０００８】
【課題を解決するための手段】
本発明の通信端末装置は、複数のシステムに使用可能な通信端末装置であって、送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、前記管理手段は、他のシステムのセル候補がつかめている場合に、セル検出及び／又はセル監視の頻度を低くする構成を採る。また、本発明の通信端末装置は、複数のシステムに使用可能な通信端末装置であって、送信側で使用した拡散コードを用いて受信信号に対して行った相関演算処理の結果に基づいてセル検出を行うセル検出手段と、セル検出された基地局からの信号のレベルを測定する処理であるセル監視を行うセル監視手段と、基地局からの信号のレベルに基づいて各基地局を分類して管理するセル管理テーブルと、このセル管理テーブルの情報に基づいてセル検出及び／又はセル監視の周期を制御する管理手段と、を具備し、前記管理手段は、他のサービスオペレータに接続していて、他のサービスオペレータと自サービスオペレータの境界にいる場合、セル検出及び／又はセル監視の周期を短縮する構成を採る。
【００１３】
これらの構成により、複数のシステムにて使用可能な通信端末装置において、各システムのセル候補の情報を利用してセル検出及び／又はセル監視の周期を制御することができる。これは、コンプレスとモードにおいて送信停止期間中に他のシステムを監視する場合に有効である。また、他のサービスオペレータと自サービスオペレータの境界にいる場合に早く自サービスオペレータに戻ることができる。
【００１４】
本発明の基地局装置は、上記通信端末装置と無線通信を行うことを特徴とする。これにより、途切れることなく、しかも所定の通信品質を維持してハンドオーバを行うことができる。
【００１５】
本発明の無線通信方法は、複数のシステムに使用可能な通信端末装置の無線通信方法であって、送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、前記管理工程は、他のシステムのセル候補がつかめている場合に、セル検出及び／又はセル監視の頻度を低くする。また、本発明の無線通信方法は、複数のシステムに使用可能な通信端末装置の無線通信方法であって、送信側で使用した拡散コードを用いて受信信号に対して行った相関演算処理の結果に基づいてセル検出を行うセル検出工程と、セル検出された基地局からの信号のレベルを測定する処理であるセル監視を行うセル監視工程と、基地局からの信号のレベルに基づいて各基地局を分類して管理するセル管理テーブルと、このセル管理テーブルの情報に基づいてセル検出及び／又はセル監視の周期を制御する管理工程と、を具備し、前記管理工程は、他のサービスオペレータに接続していて、他のサービスオペレータと自サービスオペレータの境界にいる場合、セル検出及び／又はセル監視の周期を短縮する。
【００１６】
これらの方法により、複数のシステムにて使用可能な通信端末装置において、各システムのセル候補の情報を利用してセル検出及び／又はセル監視の周期を制御することができる。これは、コンプレスとモードにおいて送信停止期間中に他のシステムを監視する場合に有効である。また、他のサービスオペレータと自サービスオペレータの境界にいる場合に早く自サービスオペレータに戻ることができる。
【００１７】
【発明の実施の形態】
本発明の骨子は、種々の要因（イベント）により動的にセル検出やセル監視の頻度を制御して少なくし、できるだけ消費電力を節約して、しかもセル検出やセル監視におけるセル管理をリアルタイムに正確に行うことである。
【００１８】
以下、本発明の実施の形態について、添付図面を参照して詳細に説明する。
（実施の形態１）
図１は、本発明の実施の形態１に係る通信端末装置の構成を示すブロック図である。ここでは、通常の状態において、セル検出・セル監視の周期は長く設定しておき、必要に応じて、セル監視の周期を短くするセル監視モード、セル検出の周期を短くするセル検出モード、並びにセル監視及びセル検出の周期を短くするセル監視・検出モードにモード切り替えがなされる場合について説明する。なお、周期を長くするとは、例えば５ｓ程度にすることをいうがこの周期については特に限定しない。このように、通常状態でセル監視やセル検出を長い周期で行うことにより装置の消費電力を効率よく使用することが可能となる。
【００１９】
この通信端末装置においては、無線基地局装置から送信された信号はアンテナ１０１を介して無線受信回路１０２で受信される。無線受信回路１０２では、受信信号に対して所定の無線受信処理（例えばダウンコンバート、Ａ／Ｄ変換など）を行う。
【００２０】
このように無線受信処理された受信信号は、相関回路１０３に出力される。相関回路１０３では、受信信号に対して送信側での拡散変調で使用された拡散コードを用いて逆拡散処理が行われ、相関値が得られる。この相関値は、セル検出回路１０４に送られる。
【００２１】
セル検出回路１０４では、相関回路１０３で得られた相関値を用いてセルの検出を行う。また、相関回路１０３で求められた相関値は、セル監視回路１０５にも送られる。また、相関回路１０３からの出力は、復調回路１０９に送られ、そこで相関処理後の信号に対して復調処理が行われて受信データが得られる。
【００２２】
セル検出回路１０４、セル監視回路１０５におけるセル検出の結果やセル監視の結果は、セル管理テーブル１０６に送られ、セル管理テーブル１０６が必要に応じて更新される。セル管理テーブル１０６では、基地局を現在通信中（Active）、ハンドオーバ先候補（Candidate）、又は隣接するレベルの低いもの（Neighbor）などに分類して管理される。
【００２３】
このセル管理テーブル１０６の情報は、接続処理制御回路１０８に送られると共に管理回路１０７に送られる。接続処理制御回路１０８では、セル管理テーブルの情報（分類結果）に基づいてハンドオーバの際の接続処理などを制御する。
【００２４】
また、管理回路１０７では、セル管理テーブルの情報に基づいてセル検出やセル監視の指示を行う。すなわち、セル検出が必要であれば、セル検出を行う旨の制御信号をセル検出回路１０４に送り、セル監視が必要であれば、セル監視を行う旨の制御信号をセル監視回路１０５に送る。
【００２５】
一方、送信データは、ディジタル変調回路１１０に送られて、ディジタル変調され、拡散変調回路１１１に送られる。拡散変調回路１１１では、所定の拡散コードを用いてディジタル変調後の信号に対して拡散変調処理が行われ、その拡散変調された送信データが無線送信回路１１２に送られる。無線送信回路１１２では、拡散変調後の送信データに対して所定の無線送信処理（Ｄ／Ａ変換、アップコンバートなど）が行われる。無線送信処理された送信信号は、アンテナ１０１を介して基地局に対して送信される。
【００２６】
次に、上記構成を有する通信端末装置のセル検出・セル監視の周期制御について説明する。
相関回路１０３においては、受信信号に対して逆拡散処理がなされて相関値が得られる。この相関値はセル検出回路１０４，セル監視回路１０５に送られる。セル検出回路１０４では、各セル共通のスプレッディングコードによるスロットタイミングを検出した後に、スクランブリングコードグループ識別ショートコードを用いてスクランブリングコード同定部でサーチすべきスクランブリングコード候補を限定し、フレームタイミングを検出し、さらにこのスクランブリングコード候補からセル固有のスクランブリングコードを特定するセル検出処理を行う。
【００２７】
セル監視回路１０５では、スクランブリングコードと、そのおおよそフレームのタイミングが判明している基地局に関して、現在のレベル（Ｅｃ／Ｉ０、ＳＩＲ）を調べる処理を行う。
【００２８】
これらのセル検出やセル監視の結果は、セル管理テーブル１０６に送られて、セルは分類されて管理される。例えば、セル管理テーブル１０６では、図２に示すように、現在通信中の基地局「現在通信中（Active）」、ハンドオーバ先の候補である基地局「ハンドオーバ先候補（Candidate）」、又はハンドオーバ先の候補ではないレベルの低い基地局「隣接するレベルの低いもの（Neighbor）」などに分類して管理される。
【００２９】
すなわち、図２から分かるように、基地局＃２は現在通信中であり、基地局＃１，＃６はハンドオーバ先の候補であり、基地局＃３，＃４，＃５はハンドオーバ先の候補ではないレベルの低いものである。
【００３０】
管理回路１０７は、セル管理テーブル１０６の情報やセル検出回路１０４及びセル監視回路１０５の結果に基づいて、セル検出やセル監視の周期（頻度）を変更する。このしきい値判定は、例えば以下のようなに分類された基地局のレベルや数により行う。具体的には、以下の方法が挙げられる。
【００３１】
まず、第１の方法としては、「現在通信中（Active）」のレベルがしきい値未満である場合、又はハンドオーバ時のように複数の基地局と通信を行っている時などにおいては「現在通信中（Active）」の各レベルの和がしきい値未満である場合に、「ハンドオーバ先候補（Candidate）」又は「隣接するレベルの低いもの（Neighbor）」のセル監視の周期を短くする（頻度を高くする）。図２を用いて説明すると、「現在通信中(Active)」である基地局＃２のレベルがしきい値未満である場合には、「ハンドオーバ先候補（Candidate）」である基地局＃１，＃６に対するセル監視周期を短くする。
【００３２】
このように「現在通信中（Active）」のレベルがしきい値未満である場合は、基地局からの信号の主波がビルなどの影に隠れていたり、セルエッジにいるために基地局からの信号の主波のレベルが低いと考えられる。この場合に、「ハンドオーバ先候補（Candidate）」のセル監視の周期を短くして早めに「ハンドオーバ先候補（Candidate）」からハンドオーバ先を見つけるようにする。これにより、迅速にハンドオーバに対応することができ、通信品質を維持することができる。
【００３３】
第２の方法としては、「現在通信中（Active）」の数がしきい値未満である場合に、「ハンドオーバ先候補（Candidate）」又は「隣接するレベルの低いもの（Neighbor）」のセル監視の周期を短くする（頻度を高くする）。また、「現在通信中（Active）」の数がしきい値以上である場合に、「ハンドオーバ先候補（Candidate）」又は「隣接するレベルの低いもの（Neighbor）」のセル監視の周期を長くする（頻度を低くする）。
【００３４】
さらに、「現在通信中(Active)」の数が少ない状態において、「ハンドオーバ先候補（Candidate）」の数が所定の数よりも少なくなった場合や、「隣接するレベルの低いもの（Neighbor）」の数が所定の数よりも少なくなった場合には、ハンドオーバ先が少ないためにソフトハンドオーバに失敗する恐れが生じるので、セル監視やセル検出の周期を短くする。
【００３５】
図３を用いて説明すると、「ハンドオーバ先候補（Candidate）」が基地局＃１しかない場合に、「隣接するレベルの低いもの（Neighbor）」に対してセル監視の周期を短くして、図４に示すように「ハンドオーバ先候補（Candidate）」（基地局＃３，＃６）を早めに見つける。これにより、ソフトハンドオーバを良好に行うことができる。
【００３６】
第３の方法としては、「現在通信中（Active）」のレベル及び「ハンドオーバ先候補（Candidate）」のレベルが共にあるしきい値範囲内にある場合に、セル検出の周期を短くする。
【００３７】
このように「現在通信中（Active）」のレベル及び「ハンドオーバ先候補（Candidate）」のレベルが共にあるしきい値範囲内にある場合は、「現在通信中(Active)」や「ハンドオーバ先候補（Candidate）」の基地局からの信号の主波がいずれもビルなどの影に隠れていたり、セルエッジにいるために「現在通信中(Active)」や「ハンドオーバ先候補（Candidate）」の基地局からの信号の主波のレベルがいずれも低いと考えられる。この場合に、セル検出の周期を短くして早めに「現在通信中(Active)」や「ハンドオーバ先候補（Candidate）」を見つけるようにする。これにより、迅速にハンドオーバに対応することができ、通信品質を維持することができる。
【００３８】
第４の方法としては、レベルが大きくなってきている基地局のセル監視の周期を短くする。このような場合は、レベルが大きくなってきている基地局に近づいていると考えられるからである。
【００３９】
例えば、図５に示すように、基地局＃７が「隣接するレベルの低いもの（Neighbor）」になり、さらに「ハンドオーバ先候補（Candidate）」になった場合には、基地局＃７に近づいていると考えられるので、基地局＃７のセル監視周期を短くする。これにより、最も可能性の高い基地局をハンドオーバ先として迅速に判定することができる。
【００４０】
第５の方法としては、所定時間内である基地局が「現在通信中（Active）」と「ハンドオーバ先候補（Candidate）」の間の入れ替わりが頻繁に起こる場合には、セルエッジにいる可能性が高いので、この基地局に対するセル監視の周期を短くする。これにより、ハンドオーバに迅速に対応することができる。
【００４１】
管理回路１０７は、上記のようなイベントによりセル監視・セル検出の周期を変更した後に、その変更した周期でセル検出回路１０４やセル監視回路１０５に対してセル検出やセル監視を行う旨の指示を行う。
【００４２】
具体的には、セル検出の周期を短くする場合には、管理回路１０７でモードが通常モード（セル検出やセル監視の周期が長いモード）からセル検出モードに切り替えられ、セル検出モードにおける短い周期でセル検出を行う旨の制御信号がセル検出回路１０４に送られる。また、セル監視の周期を短くする場合には、管理回路１０７でモードが通常モードからセル監視モードに切り替えられ、セル監視モードにおける短い周期でセル監視を行う旨の制御信号がセル監視回路１０５に送られる。また、セル検出及びセル監視の周期を短くする場合には、管理回路１０７でモードが通常モードからセル検出・セル監視モードに切り替えられ、セル検出・セル監視モードにおける短い周期でセル検出を行う旨の制御信号がセル検出回路１０４に送られ、セル監視を行う旨の制御信号がセル監視回路１０５に送られる。
【００４３】
このように本実施の形態に係る通信端末装置は、「現在通信中(Active)」や「ハンドオーバ先候補（Candidate）」のレベルや数により動的にセル検出やセル監視の頻度を制御して少なくするので、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００４４】
本実施の形態においては、基地局の分類を「現在通信中（Active）」、「ハンドオーバ先候補（Candidate）」、「隣接するレベルの低いもの（Neighbor）」と３種類で行う場合について説明しているが、本発明においては、しきい値の設定を変更することにより、基地局の分類を２つに設定しても良く、４つ以上に設定しても良い。
【００４５】
（実施の形態２）
本実施の形態では、フィンガ毎のＥｃ／Ｉ０の平均値及び／又は分散値を監視し、その値がしきい値未満になったときをイベントとして、セル監視やセル検出の周期を短くする場合について説明する。
【００４６】
図６は、本発明の実施の形態２に係る通信端末装置の構成を示すブロック図である。図６において、図１と同じ部分については図１と同じ符号を付してその詳細な説明は省略する。
【００４７】
図６に示す通信端末装置は、相関回路１０３の出力からフィンガ毎のパスを監視するパス監視回路６０１を備えている。このパス監視回路６０１は、パスの監視結果に基づいてセル検出・セル監視の周期を変更する旨の指示を管理回路１０７に送る。管理回路１０７は、変更した周期で、セル検出回路１０４及び／又はセル監視回路１０５にセル検出・セル監視を行う旨の制御信号を送る。これにより、変更した周期でセル検出・セル監視が行われる。
【００４８】
次に、上記構成を有する通信端末装置のセル検出・セル監視の周期制御について説明する。
相関回路１０３においては、受信信号に対して逆拡散処理がなされて相関値が得られる。この相関値はセル検出回路１０４やセル監視回路１０５に送られると共に、パス監視回路６０１に送られる。
【００４９】
セル検出回路１０４やセル監視回路１０５では、相関値に基づいて、セル検出やセル監視を行い、その結果をセル管理テーブル１０６に送る。セル管理テーブル１０６では、例えば現在通信中の基地局「現在通信中（Active）」、ハンドオーバ先の候補である基地局「ハンドオーバ先候補（Candidate）」、又はハンドオーバ先の候補ではないレベルの低い基地局「隣接するレベルの低いもの（Neighbor）」などに分類して管理する。なお、セル検出やセル監視については、実施の形態１と同様にして行う。
【００５０】
パス監視回路６０１では、相関値に基づいてフィンガ毎にパスを監視する。具体的には、パス監視回路６０１は、フィンガ毎のＥｃ／Ｉ０を求め、その平均値や分散値を監視する。そして、その平均値や分散値が所定のしきい値未満である場合に、基地局からの信号の主波がない状態であるとして、管理回路１０７に対してセル監視やセル検出の周期を短くする旨の制御信号を送る。管理回路１０７では、制御信号にしたがってセル検出やセル監視の周期を変更し、その周期でセル検出やセル監視を行う旨の指示をセル検出回路１０４やセル監視回路１０５に対して行う。
【００５１】
このように本実施の形態に係る通信端末装置は、フィンガ毎のＥｃ／Ｉ０に応じて動的にセル検出やセル監視の頻度を制御して、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００５２】
なお、本実施の形態では、Ｅｃ／Ｉ０の平均値や分散値により、セル検出やセル監視の周期を制御する場合について説明しているが、本発明は、フィンガ毎のＥｃ／Ｉ０以外の受信品質を監視しておき、その監視結果に基づいてセル検出やセル監視の周期を制御するようにしても良い。
【００５３】
（実施の形態３）
本実施の形態では、受信レベルが急激に変化するかどうかを監視しておき、受信レベルが急激に変化したことをイベントとして、セル監視やセル検出の周期を短くする場合について説明する。
【００５４】
図７は、本発明の実施の形態３に係る通信端末装置の構成を示すブロック図である。図７において、図１と同じ部分については図１と同じ符号を付してその詳細な説明は省略する。
【００５５】
図７に示す通信端末装置は、無線受信回路１０２の出力を用いて利得制御を行って利得制御した信号を無線受信回路１０２に出力するＡＧＣ回路７０１を備えている。このＡＧＣ回路７０１は、無線受信回路１０２の出力を監視し、その監視結果に基づいてセル検出・セル監視の周期を変更する旨の指示を管理回路１０７に送る。管理回路１０７は、変更した周期で、セル検出回路１０４及び／又はセル監視回路１０５にセル検出・セル監視を行う旨の制御信号を送る。これにより、変更した周期でセル検出・セル監視が行われる。
【００５６】
次に、上記構成を有する通信端末装置のセル検出・セル監視の周期制御について説明する。
アンテナ１０１を介して無線受信回路１０２で受信された受信信号は、無線受信回路１０２で所定の無線受信処理がなされる。この無線受信処理された信号は、無線受信回路１０２からＡＧＣ回路７０１に出力されて、ＡＧＣ回路７０１で利得制御される。このとき、ＡＧＣ回路７０１は、受信レベルの急激な変化についても監視する。そして、ＡＧＣ回路７０１は、受信レベルが急激に変化した場合に、例えばビルの影から突然基地局が現われたときや、高速ユーザデータチャネルの呼が切断されたときであるとして、管理回路１０７に対してセル監視やセル検出の周期を短くする旨の制御信号を送る。管理回路１０７では、制御信号にしたがってセル検出やセル監視の周期を変更し、その周期でセル検出やセル監視を行う旨の指示をセル検出回路１０４やセル監視回路１０５に対して行う。なお、受信レベルの急激な変化は、例えば前の測定値からの変化量に対してしきい値判定をすることにより検出することができる。
【００５７】
ＡＧＣ回路７０１で利得制御された信号は、無線受信回路１０２に送られて所定の無線受信処理がなされ、相関回路１０３に送られる。相関回路１０３においては、受信信号に対して逆拡散処理がなされて相関値が得られる。この相関値はセル検出回路１０４やセル監視回路１０５に送られる。セル検出回路１０４やセル監視回路１０５における処理については、上記実施の形態と同様であるので、説明は省略する。なお、セル検出やセル監視については、実施の形態１と同様にして行う。
【００５８】
このように本実施の形態に係る通信端末装置は、受信レベルの急激な変化に応じて動的にセル検出やセル監視の頻度を制御して、できるだけ消費電力を節約して通話時間や待ち受け時間を長くする。また、セル検出やセル監視におけるセル管理をリアルタイムに正確に行うことができるので、ハンドオーバを確実に行って、ハンドオーバ時の通信品質を維持することができる。
【００５９】
（実施の形態４）
本実施の形態では、移動速度や高度を監視しておき、移動速度や高度をイベントとして、セル監視やセル検出の周期を制御する場合について説明する。
【００６０】
図８は、本発明の実施の形態４に係る通信端末装置の構成を示すブロック図である。図８において、図１と同じ部分については図１と同じ符号を付してその詳細な説明は省略する。
【００６１】
図８に示す通信端末装置は、相関回路１０３の出力から移動速度や高度を測定する移動速度・高度測定回路８０１を備えている。この移動速度・高度測定回路８０１は、ドップラー周波数から移動速度を求めたり、ポジショニングシステムにより移動速度や高度を求める。そして、この移動速度や高度に基づいてセル検出・セル監視の周期を変更する旨の指示を管理回路１０７に送る。管理回路１０７は、変更した周期で、セル検出回路１０４及び／又はセル監視回路１０５にセル検出・セル監視を行う旨の制御信号を送る。これにより、変更した周期でセル検出・セル監視が行われる。
【００６２】
次に、上記構成を有する通信端末装置のセル検出・セル監視の周期制御について説明する。
相関回路１０３においては、受信信号に対して逆拡散処理がなされて相関値が得られる。この相関値はセル検出回路１０４やセル監視回路１０５に送られると共に、移動速度・高度測定回路８０１に送られる。
【００６３】
移動速度・高度測定回路８０１では、移動速度や高度を測定し、例えばその測定値が所定のしきい値を超えた場合には、セル検出やセル監視の周期を変更する旨の制御信号を送る。管理回路１０７では、制御信号にしたがってセル検出やセル監視の周期を変更し、その周期でセル検出やセル監視を行う旨の指示をセル検出回路１０４やセル監視回路１０５に対して行う。例えば、移動速度が速い場合（ドップラー周波数が高い場合）には、ハンドオーバする可能性が高いので、セル検出やセル監視を行う周期を短くする。また、高度が高い場合には、信号の反射が少ないと考えられるので、セル検出やセル監視を行う周期を長くする。
【００６４】
セル検出回路１０４やセル監視回路１０５における処理については、上記実施の形態と同様であるので、説明は省略する。なお、セル検出やセル監視については、実施の形態１と同様にして行う。
【００６５】
このように本実施の形態に係る通信端末装置は、移動速度や高度に応じて動的にセル検出やセル監視の頻度を制御して、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００６６】
（実施の形態５）
本実施の形態では、外部電源情報をイベントとして、セル監視やセル検出の周期を制御する場合について説明する。
【００６７】
図９は、本発明の実施の形態５に係る通信端末装置の構成を示すブロック図である。図９において、図１と同じ部分については図１と同じ符号を付してその詳細な説明は省略する。
【００６８】
図９に示す通信端末装置は、管理回路１０７に外部電源情報が入力される構成になっている。管理回路１０７は、外部電源情報に応じて、セル検出回路１０４及び／又はセル監視回路１０５にセル検出・セル監視を行う旨の制御信号を送る。これにより、変更した周期でセル検出・セル監視が行われる。
【００６９】
外部電源情報としては、例えば、車載キットに接続した情報、ＡＣ充電器に接続した情報、パソコンに接続した情報などが挙げられる。すなわち、管理回路１０７が車載キットなどの車両に内蔵する装置を識別する情報を受けたときは、高速で移動することが考えられ、ハンドオーバする可能性が高いので、セル検出やセル監視の周期を短くする。また、管理回路１０７が充電器を識別する情報を受けたときは、省エネルギーや充電速度を上げるために、セル検出やセル監視の周期を長くする。また、パソコンなどの設置型の装置の外部電源を識別する情報を受けたときは、消費電力を考慮する必要がないので、セル検出やセル監視の周期を長くする。ただし、パソコンに接続しても自装置のバッテリを使用する場合には、セル検出やセル監視の周期を短くする。
【００７０】
セル検出回路１０４やセル監視回路１０５における処理については、上記実施の形態と同様であるので、説明は省略する。なお、セル検出やセル監視については、実施の形態１と同様にして行う。
【００７１】
このように本実施の形態に係る通信端末装置は、外部電源情報に応じて動的にセル検出やセル監視の頻度を制御して、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００７２】
（実施の形態６）
本実施の形態では、サービス情報や拡散率（ＳＦ）情報をイベントとして、セル監視やセル検出の周期を短くする場合について説明する。
【００７３】
図１０は、本発明の実施の形態６に係る通信端末装置の構成を示すブロック図である。図１０において、図１と同じ部分については図１と同じ符号を付してその詳細な説明は省略する。
【００７４】
図１０に示す通信端末装置は、管理回路１０７にサービス情報や拡散率情報が入力される構成になっている。管理回路１０７は、拡散率情報に応じて、セル検出回路１０４及び／又はセル監視回路１０５にセル検出・セル監視を行う旨の制御信号を送る。これにより、変更した周期でセル検出・セル監視が行われる。
【００７５】
サービス情報としては、例えば、信号が音声のような回線交換型であることを示す情報などが挙げられる。すなわち、管理回路１０７が回線交換型の信号である情報を上位レイヤから受けると、無瞬断である必要があるので、セル検出やセル監視の周期を短くする。
【００７６】
また、管理回路１０７は、拡散率（ＳＦ）の情報を受けると、拡散率が高いか低いかをしきい値判定などにより判定する。そして、拡散率が低い場合には、通信が切れ易いので、セル検出やセル監視の周期を短くする。
【００７７】
セル検出回路１０４やセル監視回路１０５における処理については、上記実施の形態と同様であるので、説明は省略する。なお、セル検出やセル監視については、実施の形態１と同様にして行う。
【００７８】
このように本実施の形態に係る通信端末装置は、サービス情報や拡散率情報に応じて動的にセル検出やセル監視の頻度を制御して、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００７９】
（実施の形態７）
本実施の形態では、現在通信中の信号のＢＥＲ（Bit Error Rate）、ＣＲＣ(Cyclic Redundancy Check)、ＢＬＥＲ（Block Error Rate)を監視し、その値がしきい値未満になったときをイベントとして、セル監視やセル検出の周期を短くする場合について説明する。
【００８０】
図１１は、本発明の実施の形態７に係る通信端末装置の構成を示すブロック図である。図１１において、図１と同じ部分については図１と同じ符号を付してその詳細な説明は省略する。
【００８１】
図１１に示す通信端末装置は、復調回路１０９の信号を復号化する復号回路１１０１を有する。なお、この復号回路１１０１は、上記実施の形態に係る通信端末装置についても存在するが、説明を簡略化するために記載は省略している。
【００８２】
復号回路１１０１では、受信信号に対してＢＥＲ、ＣＲＣ、ＢＬＥＲを測定し、その測定結果に基づいてセル検出・セル監視の周期を変更する旨の指示を管理回路１０７に送る。管理回路１０７は、変更した周期で、セル検出回路１０４及び／又はセル監視回路１０５にセル検出・セル監視を行う旨の制御信号を送る。これにより、変更した周期でセル検出・セル監視が行われる。
【００８３】
次に、上記構成を有する通信端末装置のセル検出・セル監視の周期制御について説明する。
相関回路１０３においては、受信信号に対して逆拡散処理がなされて相関値が得られる。この相関値はセル検出回路１０４やセル監視回路１０５に送られると共に、復調回路１０９に送られる。
【００８４】
復調回路１０９では、逆拡散後の信号に対して復調処理が施され、その信号は復号回路１１０１に送られる。復号回路１１０１では、復調処理後の信号を復号すると共に、ＢＥＲ、ＣＲＣ、ＢＬＥＲを測定し、ＢＥＲ、ＣＲＣ、ＢＬＥＲの測定値に対して例えばしきい値判定を行う。その結果に例えば所定のしきい値を以上である場合に、受信信号の品質が劣化したとして、管理回路１０７に対してセル監視やセル検出の周期を短くする旨の制御信号を送る。管理回路１０７では、制御信号にしたがってセル検出やセル監視の周期を変更し、その周期でセル検出やセル監視を行う旨の指示をセル検出回路１０４やセル監視回路１０５に対して行う。
【００８５】
セル検出回路１０４やセル監視回路１０５における処理については、上記実施の形態と同様であるので、説明は省略する。なお、セル検出やセル監視については、実施の形態１と同様にして行う。
【００８６】
このように本実施の形態に係る通信端末装置は、復号後のＢＥＲ、ＣＲＣ、ＢＬＥＲに応じて動的にセル検出やセル監視の頻度を制御して、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００８７】
（実施の形態８）
本実施の形態では、選択モード情報をイベントとして、セル監視やセル検出の周期を短くする場合について説明する。
【００８８】
図１２は、本発明の実施の形態８に係る通信端末装置の構成を示すブロック図である。図１２において、図１と同じ部分については図１と同じ符号を付してその詳細な説明は省略する。
【００８９】
図１２に示す通信端末装置は、管理回路１０７に選択モード情報が入力される構成になっている。管理回路１０７は、選択モード情報に応じて、セル検出回路１０４及び／又はセル監視回路１０５にセル検出・セル監視を行う旨の制御信号を送る。これにより、変更した周期でセル検出・セル監視が行われる。
【００９０】
選択モード情報とは、例えば、低消費電力や高品質のための選択スイッチによるモード情報である。これにより、ユーザが必要に応じて、セル検出やセル監視の周期をイベントに応じた制御を選択することができる。
【００９１】
すなわち、管理回路１０７は、低消費電力にするために、選択スイッチで本発明の制御のＯＮする旨の制御信号を受けたときは、上記実施の形態で説明したイベントに応じてセル検出やセル監視を制御する。また、ユーザが高品質を求めるために、選択スイッチで本発明の制御のＯＦＦする旨の制御信号を受けたときは、通常の周期でセル検出やセル監視を行う。
【００９２】
セル検出回路１０４やセル監視回路１０５における処理については、上記実施の形態と同様であるので、説明は省略する。なお、セル検出やセル監視については、実施の形態１と同様にして行う。
【００９３】
このように本実施の形態に係る通信端末装置は、選択モード情報に応じて動的にセル検出やセル監視の頻度を制御して、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【００９４】
また、例えばデュアル機において、他のシステム（ＧＳＭ、ＰＤＣ、ＰＨＳなど）のセル候補がつかめている場合に、その情報を利用することにより、本発明の制御を行うことができる。すなわち、他のシステムのセル候補を利用して、本システムのセル検出やセル監視の頻度を低くすることができる。これは、コンプレストモードにおいて送信停止期間中に他のシステムを監視する場合に有効である。
【００９５】
また、他のサービスオペレータに接続していて、他のサービスオペレータと自サービスオペレータの境界にいる場合、例えばローミングする必要があるサービスオペレータと自サービスオペレータの境界にいる場合には、できるだけ早く自サービスオペレータに戻ることができるように、セル検出やセル監視の頻度を高くする。これにより、通話料金を安く抑えることが可能となる。
【００９６】
上記実施の形態１〜８は適宜組み合わせて実施することが可能である。
本発明は、上記実施の形態１〜８に限定されず、種々変更して実施することが可能である。
【００９７】
【発明の効果】
以上説明したように本発明の通信端末装置は、種々の要因（イベント）により動的にセル検出やセル監視の頻度を制御して少なくするので、できるだけ消費電力を節約して通話時間や待ち受け時間を長くすることができる。また、セル検出やセル監視におけるセル管理をリアルタイムに正確に行うことができるので、ハンドオーバを確実に行って、ハンドオーバ時の通信品質を維持することができる。
【図面の簡単な説明】
【図１】本発明の実施の形態１に係る通信端末装置の構成を示すブロック図
【図２】本発明に係る通信端末装置におけるセル管理テーブルを示す図
【図３】本発明に係る通信端末装置におけるセル管理テーブルを示す図
【図４】本発明に係る通信端末装置におけるセル管理テーブルを示す図
【図５】本発明に係る通信端末装置におけるセル管理テーブルを示す図
【図６】本発明の実施の形態２に係る通信端末装置の構成を示すブロック図
【図７】本発明の実施の形態３に係る通信端末装置の構成を示すブロック図
【図８】本発明の実施の形態４に係る通信端末装置の構成を示すブロック図
【図９】本発明の実施の形態５に係る通信端末装置の構成を示すブロック図
【図１０】本発明の実施の形態６に係る通信端末装置の構成を示すブロック図
【図１１】本発明の実施の形態７に係る通信端末装置の構成を示すブロック図
【図１２】本発明の実施の形態８に係る通信端末装置の構成を示すブロック図
【符号の説明】
１０１  アンテナ
１０２  無線受信回路
１０３  相関回路
１０４  セル検出回路
１０５  セル監視回路
１０６  セル管理テーブル
１０７  管理回路
１０８  接続処理制御回路
１０９  復調回路
１１０  ディジタル変調回路
１１１  拡散変調回路
１１２  無線送信回路
６０１  パス監視回路
７０１  ＡＧＣ回路
８０１  移動速度・高度測定回路
１１０１  復号回路
【図１】
0004469136.tif 000002
【図２】
0004469136.tif 000003
【図３】
0004469136.tif 000004
【図４】
0004469136.tif 000005
【図５】
0004469136.tif 000006
【図６】
0004469136.tif 000007
【図７】
0004469136.tif 000008
【図８】
0004469136.tif 000009
【図９】
0004469136.tif 000010
【図１０】
0004469136.tif 000011
【図１１】
0004469136.tif 000012
【図１２】
0004469136.tif 000013